(57)【要約】【課題】振動防止用の錘を用いることなく簡単な構造で防振効果が得られるようにしたディスク装置を提供する。【解決手段】ディスクを回転する回転駆動機構と、前記ディスクから情報を再生及び／又は前記ディスクに情報を記録するために用いる光学装置と、前記光学装置を移動させる移動機構とを少なくとも含み、これらを支持するシャーシを備えたディスク装置であって、前記シャーシを傾斜させて配置している。シャーシを傾斜させるという簡単な構造変更で、シャーシの重心位置をディスク回転軸に近づけることができる。【選択図】        図４
2004164754.tif 000002
【特許請求の範囲】
【請求項１】
ディスクを回転する回転駆動機構と、前記ディスクから情報を再生及び／又は前記ディスクに情報を記録するために用いる光学装置と、前記光学装置を移動させる移動機構とを少なくとも含み、これらを支持するシャーシを備えたディスク装置であって、
前記シャーシを傾斜させて配置したことを特徴とするディスク装置。
【請求項２】
請求項１に記載のディスク装置において、
前記シャーシは略水平に形成された筐体内で、該筐体に対して略水平とした部分と傾斜させた部分とを含むことを特徴とするディスク装置。
【請求項３】
請求項２項に記載のディスク装置において、
前記傾斜させた部分は、傾斜角を異にして多段に形成されている特徴とするディスク装置。
【請求項４】
請求項２又は３に記載のディスク装置において、
前記光学装置を移動方向に案内する案内部材は、前記傾斜させた部分の上方で略水平に支持されていることを特徴とするディスク装置。
【請求項５】
請求項１から４のいずれか一項に記載のディスク装置において、
前記傾斜させた部分とは反対側に存するシャーシ部分に、錘を配置したことを特徴とするディスク装置。
【請求項６】
請求項１から５のいずれか一項に記載のディスク装置において、
前記シャーシが防振用のダンパを備えていることを特徴とするディスク装置。
【発明の詳細な説明】
【０００１】
【発明の属する技術分野】
本発明は円板状の記録媒体（以下、単にディスクと称する）を回転させながらここに書き込まれている情報を再生し、或いは任意の情報を書き込んで記録する為のディスク装置に関する。特に、ディスクが回転した時の振動を効率的に抑制できる構造を備えたディスク装置に関する。
【０００２】
【従来の技術】
ディスクから情報を再生し、ディスクに対して記録を行うディスク装置としては、ＣＤ−ＲＯＭ、ＣＤ−Ｒ、ＣＤ−ＲＷ、ＤＶＤ等の装置がよく知られている。図１は、このようなディスク装置の内部構成を示した図である。（Ａ）は同装置の上面図、（Ｂ）は右側面図、（Ｃ）は正面図である。
【０００３】
図１で、ディスク装置１００は、ディスクを保持しながら所定方向に回転させるターンテーブル１１１を含んだ回転駆動機構１１０を備えている。また、ディスク装置１００は、ディスク１から情報を再生し、或いは、情報を記録する為の光学装置として、レンズ１２１を含んだ光ピックアップ装置１２０を備えている。この光ピックアップ装置１２０はモータ１３１を駆動源とする移動機構１３０によりディスク１の所定位置に移動される。図１では、移動機構１３０により移動された状態の光ピックアップ装置１２０を両端位置で例示している。すなわち、この光ピックアップ装置１２０は範囲Ｗの間を移動され、ディスク１から情報を再生し、或いは、情報を記録するようになっている。
【０００４】
そして、上記のディスク１を回転させる回転駆動機構１１０、光ピックアップ装置１２０及びこれを移動する移動機構１３０は所定の剛性を備えたシャーシ１０５により支持されている。このシャーシ１０５は、防振用のダンパ１１５−１〜１１５−４を介し、図示しない筐体に固定される。
【０００５】
上記ディスク装置１００において、ディスク１に偏重心や歪が有ると、回転の不釣合いからシャーシ１０５を励振してしまう。特にディスク面に対して垂直な方向でのシャーシ振動、すなわち上下動、及び光ピックアップの移動方向でのシャーシの振動、すなわち前後動が大きくなると、再生、記録のエラーが発生し易くなってしまう。
【０００６】
そこで、従来、上記シャーシ１０５上に錘を載置して、その重量を増加させることでシャーシ１０５の振動を抑制するようにしている。図２は、従来においてシャーシ１０５に載置されていた錘を例示した図である。（Ａ）は錘１４０の上面図、（Ｂ）は右側面図、（Ｃ）は正面図、さらに（Ｄ）は錘１４０の全体斜視図である。図２に示すように、錘１４０は大略、環状でありシャーシ１０５の外周部分に乗る大きさに形成されている。錘１４０の材質はシャーシ１０５と同様の部材でよく、例えば鋼材である。錘１４０はシャーシ１０５の形状に沿う様に折り曲げ加工され、またシャーシ１０５はネジ止めできるようにネジ穴１４１−１〜１４１−４を備えている
図３は、ディスク装置１００に錘１４０をセットする様子を側面から示した図である。錘１４０は、回転駆動機構１１０等を支持しているシャーシ１０５の全外周に乗るような大きさに形成されており、シャーシ１０５にネジ止め固定される。このようにシャーシ１０５の全外周に錘１４０を配設するようにしているのは、シャーシ１０５の重量を増すことで防振効果を得ようとする為である。
【０００７】
しかしながら、近年の装置コンパクト化への要請は厳しく、より小型化できるように各部配置を決定する必要がある。そのために、図１にも示されるようにディスク１を回転させる回転駆動機構１１０は、一般にシャーシ１０５の端部側に設定される場合が多い。
【０００８】
上記のようにシャーシ１０５の重量を増加させることにより、一定の防振効果を期待できる。しかし、ディスク１の回転により、ひとたび振動が生じてしまうと、シャーシ１０５の重量を増していることが逆効果として作用する。すなわち、振動を開始したときのエネルギーは錘１４０が無い場合よりも大きいので、ディスク装置から外部へ伝わるような振動、騒音となってしまう場合がある。
【０００９】
【発明が解決しようとする課題】
さらに、近年のコンパクト化の要請に伴い、ディスク装置は回転駆動機構１１０、光ピックアップ装置１２０等を支持した状態でのディスク１の重心位置と、ディスク１を回転させるターンテーブル１１１の回転中心位置とが、ずれることを許容せざるを得ない設計となっている。
【００１０】
また、シャーシ１０５により重い錘を乗せて重量を増加させることも考えられる。しかし、このようにすると輸送時に発生するような落下振動に対して脆弱になってしまうので、好ましくない。また、輸送コスト、環境負荷も増加してしまう。
【００１１】
シャーシ上の錘をより軽くして振動を抑制できる構造、さらには錘を乗せることなく振動を抑制できる構造であることが望ましいが、このような構造を備えたディスク装置は従来報告されていない。
【００１２】
したがって、本発明は上記課題を解決し、振動防止用の錘を用いることなく簡単な構造で防振効果が得られるようにしたディスク装置を提供することを目的とする。
【００１３】
【課題を解決するための手段】
上記目的は請求項１に記載の如く、ディスクを回転する回転駆動機構と、前記ディスクから情報を再生及び／又は前記ディスクに情報を記録するために用いる光学装置と、前記光学装置を移動させる移動機構とを少なくとも含み、これらを支持するシャーシを備えたディスク装置であって、前記シャーシを傾斜させて配置したディスク装置により達成される。
【００１４】
本発明によると、シャーシを傾斜させるという簡単な構造変更で、シャーシの重心位置をディスク回転軸に近づけることができる。錘を用いる必要が無くなり、簡易な構造変更で製造できるので低コスト化を図りつつ、振動を確実に抑制できるディスク装置を提供できる。また、錘を用いないので、輸送コスト、環境負荷も軽減したディスク装置となる。
【００１５】
また、請求項２に記載のように、請求項１に記載のディスク装置において、前記シャーシは略水平に形成された筐体内で、該筐体に対して略水平とした部分と傾斜させた部分とを含む構造としてもよい。本発明によると、水平部分を設けているので、水平を維持したい回転駆動機構等をこの部分で保持することができる。
【００１６】
そして、請求項３に記載のように、請求項２項に記載のディスク装置において、前記傾斜させた部分は、傾斜角を異にして多段に形成してもよい。本発明によると、保持する部品や収納されるスペースに応じてシャーシ形状を整えることができる。
【００１７】
また、請求項４に記載のように、請求項２又は３に記載のディスク装置において、前記光学装置を移動方向に案内する案内部材は、前記傾斜させた部分の上方で略水平に支持することができる。本発明によると移動方向を水平に維持したい光学装置の案内を円滑に行うことができる。
【００１８】
また、請求項５に記載のように、請求項１から４のいずれか一項に記載のディスク装置において、前記傾斜させた部分とは反対側に存するシャーシ部分に、錘を配置してもよい。本発明によると、錘を併用することでシャーシの重心位置をさらにディスク回転軸に近づけることができる。よって、ディスク回転に伴って発生する振動をより確実に抑制できる。錘の位置を適宜調整して、シャーシ重心位置とディスク回転軸の位置とが一致することが最も望ましい状態である。
【００１９】
また、請求項６に記載のように、請求項１から５のいずれか一項に記載のディスク装置において、前記シャーシが防振用のダンパを備えていることがより好ましい。本発明によればさらに確実に振動の発生を抑制できる。
【００２０】
【発明の実施の形態】
以下、図面に基づいて本発明を詳細に説明する。先ず、図を用いて本発明で採用している基本概念を説明する。図４はシャーシの重心からずれた位置にディスク１の回転軸（スピンドルモータ軸）があるときの状態を模式的に示した図である。
【００２１】
図４の上段は、図１で示した従来のディスク装置に関するもので、シャーシ重心位置Ｇ１とディスク回転軸ＭＣとの関係を模式的に示している。この図ではシャーシ１０５の重心位置Ｇ１とディスク回転軸ＭＣとの距離Ｌ１が大きい。よって、先に従来の課題として指摘したようにディスク１の回転により振動が発生する、その振動を増幅してしまう構造となっている。
【００２２】
一方、図４の下段は本発明に係るディスク装置に関するものである。上段と同様に、シャーシ重心位置Ｇ２と回転軸ＭＣとの関係を模式的に示している。この図では、シャーシ５を傾斜させている。これにより、シャーシ５の重心Ｇ２は、上段の重心Ｇ１と比較して、端部が下がった側（図４下段の場合左側）に長さＧＤ分移動している。
【００２３】
この重心移動の点についてさらに説明する。例えば、ある板を水平に維持した状態から、水平面に対して傾斜させた状態を考えれば容易に理解できる。この板を上方から眺め、水平状態から板を傾け傾斜状態にすると、板の水平面内での面積は小さくなり、かつその重心位置Ｇは傾斜させた側（端部を下げた側）に近づくことになる。本発明では、この傾斜による重心移動の作用を利用してシャーシの重心をディスク回転軸ＭＣ側に移動させる。
【００２４】
下段の場合はシャーシ重心位置Ｇ１よりシャーシ５の重心Ｇ２が長さＧＤだけディスク回転軸ＭＣに近づく。よって、シャーシの重心とディスク回転軸ＭＣとのずれ量を小さくできるので振動の発生を抑制できる。傾斜角度Ａをより大きくすれば、シャーシ５の重心Ｇ２の位置を回転軸ＭＣ側に近づけることができる。なお、図４の上下段は、ディスク回転軸ＭＣの位置を一致させている。
【００２５】
図５から図７は、上記理論を利用して実現した、実施例に係るディスク装置について示した図である。なお、本実施例のディスク装置はシャーシの形態に特徴があり、ディスク装置の他の構成は従来と同様である。よって、本実施例では図１に示したディスク装置と同様の部位については符号をそのまま流用する。
【００２６】
図５は、実施例のディスク装置で採用するシャーシ５を単独で示した図である。参照符号ＦＲで示しているのがシャーシ前側であり、開口６上にターンテーブルが配置される。この開口６の周辺に回転駆動機構が設定される。また、中央部には光ピックアップ装置が移動するための空間８が確保されている。シャーシ５のＦＲ側は回転駆動機構等を水平に保持するためにＦＬの区間が略水平に形成され、ＲＥ側に向かって上方に傾斜している。
【００２７】
本シャーシ５では、光ピックアップ装置が移動するＲ方向で、上記水平部ＦＬから先ず小さい傾斜角度αを持って上方に傾斜させ、これをＲＥ側でより大きい傾斜角度βとした多段の傾斜部分を形成している。このようにシャーシを加工することで、保持する部品の配置や筐体内のスペースに応じた形状にできる。もちろん、加工、組立上の問題がなければ、傾斜角を変えることなく１つの傾斜面を備えたシャーシとしてもよい。また、水平部ＦＬを設けず、シャーシ全体を傾斜させてもよい。
【００２８】
また、図５で例示しているシャーシ５は、幅方向Ｊで略同一の傾斜面を形成しているがこれに限定されるものではない。幅方向Ｊにおいて異なる傾斜角となる段違いの面を形成してもよい。要するに、前述した理論に基づきシャーシ５が全体として傾斜しており、シャーシ５の重心がＦＲ側に移動した状態を形成できればよい。
【００２９】
本シャーシ５は４個の固定用腕７−１〜７−４を備え、これらを介して図示しない筐体に固定される。この固定用腕７−１〜７−４には従来と同様にダンパ１１５を介して筐体に固定することが好ましい。図５では、固定用腕７−４に装着するダンパ１１５を例示したが、他の固定用腕７−１〜７−３についても同様に装着する。また、図示しない光ピックアップ装置を移動させる棒状の案内部材を略水平に保持する支持突起４が立設されている。
【００３０】
さらに、本シャーシ５のＦＲ側に錘１０を乗せてもよい。この錘１０は図２で示した従来の錘１４０とは異なり、シャーシ５上に偏在は配置される。本実施例では、シャーシ５を傾斜させることによりシャーシ重心Ｇ２をディスク回転軸ＭＣに近づけるが、錘１０と併用することで重心Ｇ２と回転軸ＭＣとのずれを更に縮小させ或いは両者の位置を一致させることができる。この錘１０は１個或いは複数個を分散させて、傾斜させた部分とは反対側に存するシャーシ部分に載置すればよい。なお、錘１０を載置した結果、シャーシ５の重心位置Ｇ２（前記回転駆動機構、光学装置、移動機構及び錘を含んだ状態でのシャーシの重心位置）が回転軸ＭＣと一致した状態とするのが好ましい。
【００３１】
図６及び図７は、上記シャーシ５を組込んだ実施例のディスク装置に付いて示した図である。図６（Ａ）は同装置を上面から見た図、また同（Ｂ）は（Ａ）におけるＹ−Ｙでの側面構成を示している。また、図７は同装置の全体斜視図を示している。
【００３２】
シャーシ５はターンテーブル１１１を含んだ回転駆動機構、レンズ１２１を含んだ光ピックアップ装置１２０を支持し、筐体２０に固定用腕７−１〜７−４を介して固定されている。筐体２０は略水平の底部２１を備えている。Ｒ方向に移動する光ピックアップ装置１２０を案内する棒状部材２２、２２は支持突起４により略水平に保持されている。なお、図６及び図７では光ピックアップ装置１２０を移動させる移動機構のうち棒状部材２２、２２を示し、図１で示していたモータ１３１及びその周部等は図示を省略している。
【００３３】
そして、図７、特に図６（Ｂ）で確認できるように、シャーシ５はＲＥ側に向けて傾斜させた部分を備えている。よって、前述したようにディスク回転軸とシャーシ５の重心との位置ずれを矯正して、防振を行うことができる。
【００３４】
以上詳細に説明したように、本実施例のディスク装置はシャーシを傾斜させるという簡単な構造で、シャーシ重心の位置Ｇ２をディスクの回転軸ＭＣに近づけて防振効果を得ている。よって、従来ディスク装置のようにディスクの回転により生じた振動を励振してしまう事態を抑制できる。また、錘を併用するとシャーシの重心位置Ｇ２を更に移動させることができる。これによりずれ量を短く或いははゼロにすることができるので振動をより効率的に抑制できる。
【００３５】
さらに、本実施例装置の場合は錘を採用することなく重心移動を実現している。また、補助的に錘１０を採用しても従来の錘１４０より極めて軽くてよい。よって、錘１０をシャーシに固定する工数を少なくでき、また重量の軽減を図り輸送コストの低減も図ることもできる。
【００３６】
以上本発明の好ましい実施例について詳述したが、本発明は係る特定の実施形態に限定されるものではなく、特許請求の範囲に記載された本発明の要旨の範囲内において、種々の変形・変更が可能である。
【００３７】
【発明の効果】
以上詳述したところから明らかなように、本発明によれば、シャーシを傾斜させるという簡単な構造変更で、シャーシの重心位置をディスク回転軸に近づけることができる。錘を用いる必要が無くなり、簡易な構造変更で製造できるので低コスト化を図りつつ、振動を確実に抑制できるディスク装置を提供できる。また、錘を用いないので、輸送コスト、環境負荷も軽減したディスク装置となる。
【図面の簡単な説明】
【図１】従来ディスク装置の内部構成を示した図である。
【図２】従来においてシャーシに載置されていた錘を例示した図である。
【図３】ディスク装置に従来の錘をセットする様子を側面から示した図である。
【図４】本発明の基本理論を説明するため、シャーシの重心からずれた位置にディスクの回転軸があるときの状態を模式的に示した図である。
【図５】実施例のディスク装置で採用するシャーシを単独で示した図である。
【図６】（Ａ）は実施例のディスク装置を上面から見た図、（Ｂ）は（Ａ）におけるＹ−Ｙでの側面構成を示した図である。
【図７】実施例のディスク装置の全体を示す斜視図である。
【符号の説明】
１            ディスク
４            支持突起
５            シャーシ
７            固定用腕
１０          錘
１００        ディスク装置
１０５        従来のシャーシ
１１０        回転駆動機構
１１１        ターンテーブル
１２０        光ピックアップ装置（光学装置）
１３０        移動機構
Ａ            傾斜角度
Ｇ１          従来シャーシの重心位置
Ｇ２          実施例シャーシの重心位置
【図１】
2004164754.tif 000003
【図２】
2004164754.tif 000004
【図３】
2004164754.tif 000005
【図４】
2004164754.tif 000006
【図５】
2004164754.tif 000007
【図６】
2004164754.tif 000008
【図７】
2004164754.tif 000009